Podtech/llm-jp-corpus-v4-ja_patent huggingface dataset:
【手続補正書】
【提出日】令和3年3月29日(2021.3.29)
【手続補正１】
【補正対象書類名】特許請求の範囲
【補正対象項目名】全文
【補正方法】変更
【補正の内容】
【特許請求の範囲】
【請求項１】
翼形部組立体（２００）用の閉角複合翼形部スパー（２１０）であって、
厚さを有するウェブ部分（３２０）と、
厚さを有し、前記ウェブ部分に対して横方向に延伸し、前記ウェブ部分と細長いフランジ部分との間に鋭角θを形成する、細長いフランジ部分（３２２）であって、前記細長いフランジ部分は、前記翼形部組立体の前縁部とスキンパネルとの間のスプライスとして機能する、フランジ部分（３２２）と
を含む、閉角複合翼形部スパー。
【請求項２】
前記スプライスが前記翼形部組立体の前縁部（２０２）と上部スキンパネル（２０４）との間にある、請求項１に記載の閉角複合翼形部スパー。
【請求項３】
前記前縁部が接合部（２０３）で前記上部スキンパネルと合流し、前記ウェブ部分が前記接合部の後方に配置される、請求項２に記載の閉角複合翼形部スパー。
【請求項４】
前記鋭角が最大８０度である、請求項１〜３のいずれか一項に記載の閉角複合翼形部スパー。
【請求項５】
文字「Ｃ」に類似する断面形状を有する、請求項１〜４のいずれか一項に記載の閉角複合翼形部スパー。
【請求項６】
前記ウェブ部分と前記細長いフランジ部分とを相互接続する半径部分（３２４）であって、前記半径部分が、設計要件及び材料特性に基づいて、前記ウェブ部分の厚さ及び前記細長いフランジ部分の厚さに対して許容可能な量だけ薄い、半径部分（３２４）をさらに含む、請求項１〜５のいずれか一項に記載の閉角複合翼形部スパー。
【請求項７】
前記ウェブ部分が０．２２０±０．００５インチ（５．６±０．１ミリメートル）の厚さを有し、前記細長いフランジ部分が０．２２０±０．００５インチ（５．６±０．１ミリメートル）の厚さを有し、前記半径部分が０．２１０±０．００５インチ（５．３±０．１ミリメートル）の厚さを有する、請求項６に記載の閉角複合翼形部スパー。
【請求項８】
閉角複合翼形部スパー（２１０）を製造する方法（６００）であって、
ツールピース上に繊維強化材料の層を構築するために、繊維強化材料の層をツールピース（７００）に適用するステップ（６０２）であって、前記ツールピースが複数の一時的に結合されたマンドレルピース（７１１、７１２、７１３）を含む、ステップ（６０２）と、
少なくとも第１の所定の処理時間の間、前記ツールピース上に前記繊維強化材料の層を含む前記ツールピースの周囲を真空に引くステップ（６０４）と、
少なくとも第２の所定の処理時間の間、前記ツールピース上に前記繊維強化材料の前記層を含む前記ツールピースを加熱するステップ（６０６）と、
前記第１の所定の処理時間の経過後に、８０度以下の閉角度θを有する前記閉角複合翼形部スパーを製造するために、前記ツールピース上に前記繊維強化材料の層を含む前記ツールピースの周囲に引かれた前記真空を解放するステップ（６０８）と
を含む、方法。
【請求項９】
少なくとも前記第２の所定の処理時間の間、前記ツールピース上に前記繊維強化材料の前記層を含む前記ツールピースを加熱する前記ステップが、オートクレーブ外プロセスを使用して前記ツールピース上に前記繊維強化材料の前記層を含む前記ツールピースを加熱するステップを含む、請求項８に記載の方法。
【請求項１０】
前記少なくとも第１の所定の処理時間の間、前記ツールピース上に前記繊維強化材料の層を含む前記ツールピースの周囲を前記真空に引く前記ステップが、前記繊維強化材料の製造業者によって指定された最小限の時間の間、前記ツールピース上に前記繊維強化材料の層を含む前記ツールピースの周囲を真空に引くステップを含む、請求項８または９に記載の方法。
【請求項１１】
前記繊維強化材料の前記層を前記ツールピース上に構築するために、前記繊維強化材料の前記層を前記ツールピースに適用する前記ステップが、前記ツールピース上に前記繊維強化材料の最少数の層を構築するために、前記繊維強化材料の前記層を前記ツールピースに適用するステップを含む、請求項８〜１０のいずれか一項に記載の方法。
【請求項１２】
前記繊維強化材料の前記層を前記ツールピースに適用する前記ステップが、エポキシ材料を含む繊維強化材料を選択するステップを含む、請求項８〜１１のいずれか一項に記載の方法。
【請求項１３】
前記繊維強化材料の前記層を前記ツールピースに適用する前記ステップが、ＣＹＣＯＭ（登録商標）５３２０−１エポキシ樹脂を含む繊維強化材料を選択するステップを含む、請求項８〜１２のいずれか一項に記載の方法。
【請求項１４】
前縁部（２０２）と、前記前縁部に当接するスキンパネル（２０４）とを有する翼形部組立体（２００）を組み立てる方法であって、前記方法は、
細長いフランジ部分（３２２）と、前記細長いフランジ部分とウェブ部分との間に鋭角θを形成する前記ウェブ部分（３２０）とを有する、請求項８〜１３のいずれか一項に記載の方法によって製造された閉角スパー（２１０）を提供するステップと、
前記閉角スパーの前記細長いフランジ部分に沿ったスプライスポイントにおいて前記前縁部及び前記スキンパネルを接合するステップと
を含む、方法。
【請求項１５】
前記前縁部及び前記スキンパネルが接合された後に前記鋭角が前記翼形部組立体の前方を向く、請求項１４に記載の方法。
【手続補正書】
【提出日】令和3年5月17日(2021.5.17)
【手続補正１】
【補正対象書類名】特許請求の範囲
【補正対象項目名】全文
【補正方法】変更
【補正の内容】
【特許請求の範囲】
【請求項１】
Ｊａｇｇｅｄ１ポリペプチドに特異的結合する、単離された抗原結合タンパク質であって、前記抗原結合タンパク質は、モノクローナル抗体、ポリクローナル抗体、組換え抗体、ヒト抗体、ヒト化抗体、キメラ抗体、多重特異性抗体又はその抗体断片であり、前記抗体は、ＣＤＲＬ１、ＣＤＲＬ２、ＣＤＲＬ３、ＣＤＲＨ１、ＣＤＲＨ２及びＣＤＲＨ３を含み、ここで、各ＣＤＲＬ１、ＣＤＲＬ２、ＣＤＲＬ３、ＣＤＲＨ１、ＣＤＲＨ２及びＣＤＲＨ３は、それぞれ、配列番号９８、配列番号９９、配列番号１００、配列番号２３０、配列番号２３１及び配列番号２３２を含む、単離された抗原結合タンパク質。
【請求項２】
前記ヒトＪａｇｇｅｄ１が、配列番号３５３を含む配列を有する、請求項１に記載の単離された抗原結合タンパク質。
【請求項３】
前記抗体断片が、Ｆａｂ断片、Ｆａｂ’断片又はＦ（ａｂ’）２断片である、請求項１に記載の単離された抗原結合タンパク質。
【請求項４】
ヒト抗体である、請求項１に記載の単離された抗原結合タンパク質。
【請求項５】
モノクローナル抗体である、請求項１に記載の単離された抗原結合タンパク質。
【請求項６】
ＩｇＧ１型、ＩｇＧ２型、ＩｇＧ３型又はＩｇＧ４型のものである、請求項４又は５に記載の単離された抗原結合タンパク質。
【請求項７】
ＩｇＧ１型又はＩｇＧ２型のものである、請求項６に記載の単離された抗原結合タンパク質。
【請求項８】
標識基に結合している、請求項１に記載のいずれかの単離された抗原結合タンパク質。
【請求項９】
前記抗原結合タンパク質が抗体又はその断片であり、前記抗体又はその断片が、配列番号７を含む軽鎖可変領域、及び配列番号８を含む重鎖可変領域を含む、請求項１に記載の単離された抗原結合タンパク質。
【請求項１０】
請求項１又は９に記載の抗体又はその断片をコードする核酸分子。
【請求項１１】
制御配列に作動可能に連結されている、請求項１０に記載の核酸分子。
【請求項１２】
請求項１１に記載の核酸分子を含むベクター。
【請求項１３】
請求項１２に記載の核酸分子を含む宿主細胞。
【請求項１４】
請求項１３に記載の宿主細胞によって生成される、抗体又はその断片。
【請求項１５】
前記抗体を分泌する宿主細胞から前記抗体又はその断片を調製するステップを含む、請求項１又は９に記載の抗体又はその断片の作製方法。
【請求項１６】
請求項１又は９に記載の少なくとも１つの抗体又はその断片及び医薬的に許容可能な賦形剤を含む、医薬組成物。
【請求項１７】
ヒトＪａｇｇｅｄ１への結合について請求項１又は９に記載の抗体又はその断片と競合する、単離された抗原結合タンパク質。
【手続補正書】
【提出日】令和3年5月7日(2021.5.7)
【手続補正１】
【補正対象書類名】特許請求の範囲
【補正対象項目名】全文
【補正方法】変更
【補正の内容】
【特許請求の範囲】
【請求項１】
顔料、及び界面活性剤を含有するインクジェット用の水性インクであって、
前記顔料が、カーボンブラックの粒子表面に、（ｉ）アニオン性基、及び、（ｉｉ）他の原子団とアニオン性基とが結合した基、からなる群より選択される少なくとも１種の官能基が結合した自己分散顔料であるとともに、前記官能基の密度が、０．１０μｍｏｌ／ｍ２以上０．４８μｍｏｌ／ｍ２以下であり、
前記界面活性剤が、陽イオンとなりうる窒素原子が第２級アミン又は第３級アミンの構造を持つアミノ酸型界面活性剤であることを特徴とする水性インク。
【請求項２】
前記アミノ酸型界面活性剤が、下記一般式（１）で表される請求項１に記載の水性インク。
2018203995.tif 000001
（前記一般式（１）中、Ｒ１は、炭素数８乃至１８のアルキル基を表す。Ｚは、（ＣＯ）ｐ（ＮＨ（ＣＨ２）ｑ）ｒを表し、ｐは０又は１の整数を表し、ｑは２又は３の整数を表し、ｒは１乃至３の整数を表す。Ｒ２は、水素原子、又は（ＣＨ２）ｓ−Ｘ１を表し、ｓは１乃至３の整数を表す。Ｒ３は、（ＣＨ２）ｔ−Ｘ２を表し、ｔは１乃至３の整数を表す。Ｘ１、及びＸ２は、それぞれ独立に、水素原子、ヒドロキシ基、カルボン酸基、又はスルホン酸基を表す。但し、Ｘ１、及びＸ２の組み合わせが同時に水素原子及びヒドロキシ基となることはない。）
【請求項３】
前記一般式（１）におけるＲ２が水素原子である請求項２に記載の水性インク。
【請求項４】
前記一般式（１）におけるｐが１である請求項２又は３に記載の水性インク。
【請求項５】
前記官能基の密度が、０．１０μｍｏｌ／ｍ２以上０．３０μｍｏｌ／ｍ２以下である請求項１乃至４のいずれか１項に記載の水性インク。
【請求項６】
前記自己分散顔料の前記アニオン性基が、カルボン酸基である請求項１乃至５のいずれか１項に記載の水性インク。
【請求項７】
前記自己分散顔料の前記官能基が、他の原子団に２以上のカルボン酸基が結合した基である請求項１乃至６のいずれか１項に記載の水性インク。
【請求項８】
前記アミノ酸型界面活性剤の含有量（質量％）が、インク全質量を基準として、０．１０質量％以上１０．００質量％以下である請求項１乃至７のいずれか１項に記載の水性インク。
【請求項９】
前記自己分散顔料の含有量（質量％）が、インク全質量を基準として、０．５０質量％以上１０．００質量％以下である請求項１乃至８のいずれか１項に記載の水性インク。
【請求項１０】
前記水性インクのｐＨが、７．５以上１０．０以下である請求項１乃至９のいずれか１項に記載の水性インク。
【請求項１１】
インクと、前記インクを収容するインク収容部とを備えたインクカートリッジであって、
前記インクが、請求項１乃至１０のいずれか１項に記載の水性インクであることを特徴とするインクカートリッジ。
【請求項１２】
インクをインクジェット方式の記録ヘッドから吐出して記録媒体に画像を記録するインクジェット記録方法であって、
前記インクが、請求項１乃至１０のいずれか１項に記載の水性インクであることを特徴とするインクジェット記録方法。
【請求項１３】
前記記録媒体が、コート層を有しない記録媒体であり、その表面のｐＨが、５．０以上７．３以下である請求項１２に記載のインクジェット記録方法。
【手続補正書】
【提出日】令和3年3月22日(2021.3.22)
【手続補正１】
【補正対象書類名】明細書
【補正対象項目名】００４９
【補正方法】変更
【補正の内容】
【００４９】
図５（ｂ）に示すように、ｆｌａｇ＿ｂは１ビットの値であり、ｆｌａｇ＿ｂが０の場合、ライブラリデータＤ２を参照せず、続くｄａｔａに第１方向の変位δが登録されていることを示す。ｆｌａｇ＿ｂが１の場合、ライブラリデータＤ２を参照し、続くｄａｔａに、ライブラリ参照情報が登録されていることを示す。すなわち、ｆｌａｇ＿ｂが１の場合、ライブラリデータＤ２に登録されている頂点列を用いて辺を表現していることを示す。
【手続補正２】
【補正対象書類名】明細書
【補正対象項目名】００５７
【補正方法】変更
【補正の内容】
【００５７】
２つ目の分割図形は、上下の両方の辺Ｓ３、Ｓ４の情報が登録されるため、ｆｌａｇ１は００となる。辺Ｓ３、Ｓ４は直角タイプであり、ライブラリデータＤ２の頂点列を使用しないため、ｆｌａｇ＿ａは００、ｆｌａｇ＿ｂは０となる。ｄａｔａには第１方向の変位δ２１、δ２２が登録される。
【手続補正３】
【補正対象書類名】明細書
【補正対象項目名】００５８
【補正方法】変更
【補正の内容】
【００５８】
３つ目の分割図形は、上下の両方の辺Ｓ５、Ｓ６の情報が登録されるため、ｆｌａｇ１は００となる。辺Ｓ５、Ｓ６は任意角タイプであり、ライブラリデータＤ２の頂点列を使用できるため、ｆｌａｇ＿ａは０１、ｆｌａｇ＿ｂは１となる。辺Ｓ６は参照番号Ｒｅｆ１の頂点列を任意角タイプの線で結んだものであり、辺Ｓ５は同じ参照番号Ｒｅｆ１の頂点列を反転して任意角タイプの線で結んだものである。そのため、辺Ｓ５は、ｍｉｒｒｏｒが１、ｒｏｔ＿ｎｏが００、ｒｅｆ＿ｎｏがＲｅｆ１となる。辺Ｓ６は、ｍｉｒｒｏｒが０、ｒｏｔ＿ｎｏが００、ｒｅｆ＿ｎｏがＲｅｆ１となる。
【手続補正４】
【補正対象書類名】明細書
【補正対象項目名】００５９
【補正方法】変更
【補正の内容】
【００５９】
４つ目の分割図形は、上下の両方の辺Ｓ７、Ｓ８の情報が登録されるため、ｆｌａｇ１は００となる。辺Ｓ７、Ｓ８は直角タイプであり、ライブラリデータＤ２の頂点列を使用しないため、ｆｌａｇ＿ａは００、ｆｌａｇ＿ｂは０となる。ｄａｔａには第１方向の変位δ４１、δ４２が登録される。
【手続補正５】
【補正対象書類名】明細書
【補正対象項目名】００７１
【補正方法】変更
【補正の内容】
【００７１】
図１４に示すように、ｆｌａｇ＿ｃは１ビットの値であり、ｆｌａｇ＿ｃが０の場合、他の頂点列データを参照せず、続くｄａｔａに、１つ前の点からの相対座標ｄｘｎ、ｄｙｎが登録されていることを示す。ｆｌａｇ＿ｃが１の場合、他の頂点列を参照し、続くｄａｔａに、ライブラリ参照情報が登録されていることを示す。
【手続補正書】
【提出日】令和3年5月17日(2021.5.17)
【手続補正１】
【補正対象書類名】明細書
【補正対象項目名】００２１
【補正方法】変更
【補正の内容】
【００２１】
【図１】本発明実施形態の巻線装置を示す正面図である。
【図２】図１のＡ−Ａ線断面図である。
【図３】その蓄線された線材が巻芯に巻回される状態を示す図２に対応する断面図である。
【図４】その蓄線された線材の手前の線材が巻芯に巻回される状態を示す正面図である。
【図５】その蓄線された線材が巻芯に巻回される状態を示す図４に対応する正面図である。
【図６】本発明の別の実施形態の巻線装置を示す上面図である。
【図７】その別の巻線装置の一部断面を示す正面図である。
【図８】その蓄線手段を示す図７のＢ−Ｂ線断面図である。
【図９】その別の巻線装置の巻芯周囲の構造を示す分解構成図である。
【図１０】その別の巻線装置において蓄線された線材の手前の線材が巻芯に巻回される状態を示す上面図である。
【図１１】その別の巻線装置において蓄線された線材が巻芯に巻回される状態を示す図１０に対応する上面図である。
【手続補正書】
【提出日】令和3年1月12日(2021.1.12)
【手続補正１】
【補正対象書類名】特許請求の範囲
【補正対象項目名】全文
【補正方法】変更
【補正の内容】
【特許請求の範囲】
【請求項１】
仮想通貨をユーザに付与する情報処理装置を有する情報処理システムであって、
前記情報処理装置は、
仮想通貨を保有するユーザが提供を受けた商品又はサービスに関する情報を取得する情報取得部と、
前記商品又はサービスの情報に応じた数量の前記仮想通貨を前記ユーザに付与する付与部と、を備え、
前記ユーザ情報、前記加盟店の情報、前記ユーザの商品又はサービスの履歴及び前記付与した仮想通貨の履歴を記憶する記憶部を有し、
前記情報処理装置は、
前記ユーザが前記仮想通貨のトークンバックの有資格者であることを条件に、前記仮想通貨を付与し、
前記ユーザが前記付与された仮想通貨と、前記商品又はサービスに関する情報の少なくとも一部が確認可能な画面を所定の端末に表示する、
ことを特徴とする情報処理システム。
【請求項２】
前記ユーザの前記仮想通貨の保有情報を取得する保有情報取得部と、
前記保有情報に基づき、前記ユーザが所定数以上の前記仮想通貨を保有しているか否かを判定する判定部と、を有し、
前記付与部は、前記ユーザが所定数以上の前記仮想通貨を保有していると判定した場合、前記取得した仮想通貨を前記ユーザに付与する、請求項１に記載の情報処理システム。
【請求項３】
前記通貨取得部は、前記ユーザの前記仮想通貨の保有情報に基づいて、前記取得する仮想通貨の量を算出する、請求項２に記載の情報処理システム。
【請求項４】
前記情報処理装置は、
前記商品又はサービスの情報に応じた手数料を取得する手数料取得部と、
前記手数料取得部が取得した手数料を用いて、前記仮想通貨を取得する通貨取得部と、を備え、
前記付与部は、前記通貨取得部が取得した仮想通貨を付与する、
ことを特徴とする請求項１に記載の情報処理システム。
【請求項５】
前記仮想通貨の保有情報は、前記ユーザの前記仮想通貨の保有量及び保有期間の少なくとも一方の情報を含み、
前記通貨取得部は、前記ユーザの前記仮想通貨の保有量及び保有期間に基づいて、前記取得する仮想通貨の量を算出する、請求項４に記載の情報処理システム。
【請求項６】
前記通貨取得部は、
前記仮想通貨の発行元、又は前記仮想通貨の保有者に対し、前記手数料に基づく前記仮想通貨の購買要求を出力し、前記発行元又は保有者から前記仮想通貨を取得する
ことを特徴とする請求項４に記載の情報処理システム。
【請求項７】
前記情報処理システムは、仮想通貨を発行する発行装置を備え、
前記発行装置は、
予め定められた発行総量の上限の範囲内で前記仮想通貨を発行する発行部と、
発行した前記仮想通貨を、該仮想通貨の売買が可能な取引所の装置に供給する供給部と、を備え、
前記情報処理装置は、
前記発行装置又は取引所に対して前記手数料に応じた数量の前記仮想通貨の購買要求を出力する出力部を備え、
前記通貨取得部は、前記発行装置又は取引所から前記仮想通貨を取得する、
ことを特徴とする請求項４に記載の情報処理システム。
【請求項８】
前記発行部は、前記付与部により前記仮想通貨を付与する際に、前記仮想通貨が足らないと判定した場合、前記仮想通貨の発行総量の上限を超えない範囲で新たに仮想通貨を発行し、前記付与部により前記仮想通貨を付与する、請求項７に記載の情報処理システム。
【請求項９】
前記商品又はサービスの購入額の一部を原資に前記仮想通貨の発行元又は前記仮想通貨の保有者から前記仮想通貨を購入し、前記付与部により付与する仮想通貨を調達する処理を実行する、請求項１に記載に記載の情報処理システム。
【請求項１０】
前記仮想通貨が複数のノードに分散して管理されている場合、トランザクションデータを参照して、前記ユーザが保有する仮想通貨の保有情報を取得する、請求項２に記載の情報処理システム。
【請求項１１】
情報処理方法であって、
仮想通貨を保有するユーザの商品又はサービスに関する情報を取得する購入情報取得ステップと、
前記商品又はサービスの情報に応じた数量の前記仮想通貨を前記ユーザに付与する付与ステップと、
前記ユーザ情報、前記加盟店の情報、前記ユーザの商品又はサービスの履歴及び前記付与した仮想通貨の履歴を記憶する記憶ステップと、
前記ユーザが前記付与された仮想通貨と、前記商品又はサービスの情報の少なくとも一部が確認可能な画面を所定の端末に表示する表示ステップと、を有し、
前記付与ステップは、前記ユーザが前記仮想通貨のトークンバックの有資格者であることを条件に、前記仮想通貨を付与する、
ことを特徴とする情報処理方法。
【手続補正書】
【提出日】令和3年4月30日(2021.4.30)
【手続補正１】
【補正対象書類名】特許請求の範囲
【補正対象項目名】全文
【補正方法】変更
【補正の内容】
【特許請求の範囲】
【請求項１】
表示部に表示される人の形をしたキャラクターモデルの頭部に対応する位置に始点が設定されると共に、前記表示部上において任意の位置に終点が設定された場合、前記始点と前記終点との間に描かれる軌跡に沿い、予め設定された形状で髪モデルを生成する画像処理部と、
前記キャラクターモデルの色に関する処理を行う効果処理部と、
を備える画像処理装置。
【請求項２】
前記効果処理部は、色に関する処理として、前記キャラクターモデル上の選択された位置に色を加える処理、前記キャラクターモデルの頬に色を加える処理、及び、前記キャラクターモデルの眼の色を変更する処理を行う
請求項１に記載の画像処理装置。
【請求項３】
前記始点及び前記終点を指定する入力部を備え、
前記表示部は、前記入力部による入力操作に応じて動く、髪モデルを描いているように見せる髪作成モデルを表示する
請求項１又は２に記載の画像処理装置。
【請求項４】
前記キャラクターモデルの表面形状に沿い、前記表示部には表示されないメッシュモデルを作成するメッシュモデル作成部を備え、
前記画像処理部は、前記始点と前記終点との間に前記メッシュモデルの表面に沿って髪モデルを生成する
請求項１〜３のいずれか１項に記載の画像処理装置。
【請求項５】
前記表示部は、前記キャラクターモデルをＶＲ空間において表示する
請求項１〜４のいずれか１項に記載の画像処理装置。
【請求項６】
画像処理装置が、
表示部に表示される人の形をしたキャラクターモデルの頭部に対応する位置に始点が設定されると共に、前記表示部上において任意の位置に終点が設定された場合、前記始点と前記終点との間に描かれる軌跡に沿い、予め設定された形状で髪モデルを生成する画像処理ステップと、
前記キャラクターモデルの色に関する処理を行う効果処理ステップと、
を実行する画像処理方法。
【請求項７】
画像処理装置に、
表示機能に表示される人の形をしたキャラクターモデルの頭部に対応する位置に始点が設定されると共に、前記表示機能上において任意の位置に終点が設定された場合、前記始点と前記終点との間に描かれる軌跡に沿い、予め設定された形状で髪モデルを生成する画像処理機能と、
前記キャラクターモデルの色に関する処理を行う効果処理機能と、
を実現させる画像処理プログラム。
【手続補正書】
【提出日】令和3年6月24日(2021.6.24)
【手続補正１】
【補正対象書類名】特許請求の範囲
【補正対象項目名】全文
【補正方法】変更
【補正の内容】
【特許請求の範囲】
【請求項１】
表示装置と、
少なくとも１つの表示要素を含む表示内容が表示画面に表示された状態の電子機器を撮像して撮像画像を生成する撮像装置と、
前記撮像画像に基づいて、前記表示内容に対応する提示画像を生成する提示画像生成部と、
前記提示画像を前記表示装置に表示させる第１の表示制御部と、
前記提示画像に含まれる表示要素を選択するユーザ入力を受け付ける入力部と、
前記電子機器の型式を表す型式情報を取得する型式情報取得部と、
前記表示要素の説明文を含む、前記型式情報に関連付けられた説明情報を取得する説明情報取得部と、
前記説明文を前記表示装置に表示させる第２の表示制御部と、
を備える端末装置。
【請求項２】
前記表示要素は、ピクトグラムである、請求項１に記載の端末装置。
【請求項３】
前記提示画像生成部は、前記提示画像として、前記表示内容を再現した画像を生成する、請求項１又は２に記載の端末装置。
【請求項４】
前記説明情報取得部は、前記ユーザ入力に応答して、インターネット経由で前記説明情報を取得する、請求項１乃至３のいずれか１項に記載の端末装置。
【請求項５】
前記型式情報取得部は、前記撮像画像に含まれる前記表示内容に対応する部分画像に基づいて、前記電子機器の型式を識別する型式識別部を備える、請求項１乃至４のいずれか１項に記載の端末装置。
【請求項６】
前記説明情報は、前記表示要素に関連するＷｅｂページのＵＲＬ（Uniform Resource Locator）をさらに含み、前記第２の表示制御部は、前記Ｗｅｂページへのハイパーリンクを前記表示装置にさらに表示させる、請求項１乃至５のいずれか１項に記載の端末装置。
【請求項７】
表示装置と、少なくとも１つの表示要素を含む表示内容が表示画面に表示された状態の電子機器を撮像して撮像画像を生成する撮像装置と、を備える端末装置によって実行される情報処理方法であって、
前記撮像画像に基づいて、前記表示内容に対応する提示画像を生成する過程と、
前記提示画像を前記表示装置に表示させる過程と、
前記提示画像に含まれる表示要素を選択するユーザ入力を受け付ける過程と、
前記電子機器の型式を表す型式情報を取得する過程と、
前記表示要素の説明文を含む、前記型式情報に関連付けられた説明情報を取得する過程と、
前記説明文を前記表示装置に表示させる過程と、
を備える情報処理方法。
【請求項８】
請求項１乃至６のいずれか１項に記載の端末装置が備える各部としてコンピュータを機能させるためのプログラム。
【手続補正２】
【補正対象書類名】明細書
【補正対象項目名】００１９
【補正方法】変更
【補正の内容】
【００１９】
［適用例］
図１を参照して、本発明が適用される場面の一例について説明する。図１は、一実施形態に係る端末装置１０を例示する。端末装置１０は、典型的には、カメラ１１及びタッチスクリーン１２を搭載したモバイルデバイスである。端末装置１０は、例えば、スマートフォン、タブレットＰＣ（Personal Computer）、ＰＤＡ（Personal Digital Assistant）、携帯電話機などであり得る。
【手続補正３】
【補正対象書類名】明細書
【補正対象項目名】００２５
【補正方法】変更
【補正の内容】
【００２５】
情報処理部１３は、ユーザからの提示画像に含まれる表示要素を選択する入力を受け付け、この表示要素に関する説明情報を表示装置１２Ａに表示させる。例えば、提示画像が表示装置１２Ａに表示された状態でユーザがいずれかの表示要素に対応する画面上の領域をタップすると、情報処理部１３は、ユーザによる操作に応答して、その表示要素に関する説明情報を表示装置１２Ａに表示させる。
【手続補正４】
【補正対象書類名】明細書
【補正対象項目名】００２６
【補正方法】変更
【補正の内容】
【００２６】
以上のように、本実施形態に係る端末装置１０は、カメラ１１で血圧計２０を撮像し、血圧計２０に表示されている表示内容に対応する提示画像をユーザに提示し、ユーザからの提示画像に含まれる表示要素を選択する入力を受け付け、この表示要素に関する説明情報をユーザに提示する。このため、ユーザは、表示要素の説明を得るためには、血圧計２０の撮影と表示要素の選択とを含む簡単な操作を行えばよい。したがって、ユーザは、血圧計２０に表示されているピクトグラムなどの表示要素の説明を容易に得ることができる。
【手続補正５】
【補正対象書類名】明細書
【補正対象項目名】００４０
【補正方法】変更
【補正の内容】
【００４０】
入力装置１０７は、ユーザからの端末装置１００に対する操作を受け付ける。典型的には、入力装置１０７は、表示装置１０６の画面に設けられたタッチパネルを備える。タッチパネルは、指などの物体が接触した表示装置１０６の画面上の位置（接触位置）を検出し、接触位置を表す操作信号を制御部１０１に出力する。制御部１０１は、表示装置１０６に与えた画像データとタッチパネルから受け取った操作信号とに基づいて、ユーザが行った操作の内容を判断する。タッチパネルは、例えば、静電容量式のタッチパネルであり得る。入力装置１０７は、プッシュ式ボタンをさらに備えてもよい。
【手続補正書】
【提出日】令和3年6月24日(2021.6.24)
【手続補正１】
【補正対象書類名】特許請求の範囲
【補正対象項目名】全文
【補正方法】変更
【補正の内容】
【特許請求の範囲】
【請求項１】
表示要素を含む表示内容が表示画面に表示された状態の電子機器を撮像して撮像画像を生成する撮像装置と、
前記撮像画像から、前記表示内容に含まれる前記表示要素を認識する認識部と、
前記電子機器の型式を表す型式情報を取得する型式情報取得部と、
前記表示要素の説明文を含む、前記型式情報に関連付けられた説明情報を取得する説明情報取得部と、
前記説明情報に含まれる前記説明文を提示する提示部と、
を備える端末装置。
【請求項２】
前記表示要素は、ピクトグラムである、請求項１に記載の端末装置。
【請求項３】
表示装置と、
前記撮像装置による撮像を行う動作モードにおいて、前記認識部による認識が行われる範囲を示すガイドを前記表示装置に表示させる表示制御部と、
をさらに備える請求項１又は２に記載の端末装置。
【請求項４】
前記説明情報取得部は、インターネットを経由して外部記憶装置から前記説明情報を取得する、請求項１乃至３のいずれか１項に記載の端末装置。
【請求項５】
前記説明情報は、前記表示要素に関連するＷｅｂページのＵＲＬ（Uniform Resource Locator）をさらに含み、前記提示部は、前記Ｗｅｂページへのハイパーリンクをさらに提示する、請求項１乃至４のいずれか１項に記載の端末装置。
【請求項６】
表示要素を含む表示内容が表示画面に表示された状態の電子機器を撮像して撮像画像を生成する撮像装置を備える端末装置によって実行される情報処理方法であって、
前記撮像画像から、前記表示内容に含まれる前記表示要素を認識する過程と、
前記電子機器の型式を表す型式情報を取得する過程と、
前記表示要素の説明文を含む、前記型式情報に関連付けられた説明情報を取得する過程と、
前記説明情報に含まれる前記説明文を提示する過程と、
を備える情報処理方法。
【請求項７】
請求項１乃至５のいずれか１項に記載の端末装置が備える各部としてコンピュータを機能させるためのプログラム。
【手続補正２】
【補正対象書類名】明細書
【補正対象項目名】００１８
【補正方法】変更
【補正の内容】
【００１８】
［適用例］
図１を参照して、本発明が適用される場面の一例について説明する。図１は、一実施形態に係る端末装置１０を例示する。端末装置１０は、典型的には、カメラ１１及びタッチスクリーン１２を搭載したモバイルデバイスである。端末装置１０は、例えば、スマートフォン、タブレットＰＣ（Personal Computer）、ＰＤＡ（Personal Digital Assistant）、携帯電話機などであり得る。
【手続補正３】
【補正対象書類名】明細書
【補正対象項目名】００４８
【補正方法】変更
【補正の内容】
【００４８】
認識部１５４は、カメラ１０９から撮像画像を受け取る。認識部１５４は、この撮像画像に基づいて、血圧計２００の表示画面に表示された表示要素を認識する。具体的には、認識部１５４は、撮像画像から認識範囲に対応する部分画像を抽出し、部分画像とマニュアル情報記憶部１６１に記憶されているマニュアル情報に含まれる画像データとの比較に基づいて、血圧計２００の表示装置２２０に表示されている表示要素を認識する。本実施形態で認識対象とする表示要素は、例えば、ピクトグラム、エラーコード、及び／又はエラーメッセージである。例えば、認識部１５４は、抽出した部分画像と各表示要素の画像データとのマッチングを行うことにより、抽出した部分画像にその表示要素が含まれるか否かを判定する。認識部１５４は、認識した表示要素を示す情報を含む認識結果を出力する。なお、認識部１５４は、ニューラルネットワークなどのＡＩ（Artificial Intelligence）技術を使用した画像認識を行うものであってもよい。
【手続補正書】
【提出日】令和3年7月5日(2021.7.5)
【手続補正１】
【補正対象書類名】特許請求の範囲
【補正対象項目名】全文
【補正方法】変更
【補正の内容】
【特許請求の範囲】
【請求項１】
第１情報処理装置によって、
出品ユーザに対応づけられた第２情報処理装置から、前記出品ユーザが出品する第１商品の第１商品情報を受信するステップと、
前記第１商品情報に基づいて、前記第１商品と同種の第２商品の第２商品情報を記憶部から特定するステップと、
前記第１商品情報の情報量と前記第２商品情報の情報量との差分を特定するステップと、
前記差分の少なくとも一部を減らすように前記第１商品情報を更新するステップと、を
実行する情報入力方法。
【請求項２】
前記差分が、前記第１商品情報の情報量が前記第２商品情報の情報量よりも不足している場合、前記第１商品情報の追加を促すメッセージを前記第２情報処理装置に送信するステップをさらに実行し、
前記更新するステップは、前記第２情報処理装置から受信した追加情報により前記第１商品情報を追加するステップを含む、
請求項１に記載の情報入力方法。
【請求項３】
前記メッセージは、前記第２商品情報に含まれている単語に基づいて生成される入力候補文を含む、
請求項２に記載の情報入力方法。
【請求項４】
前記更新するステップは、第２情報処理装置から受信した前記第１商品情報に基づいて追加情報を推定し、前記追加情報により前記第１商品情報を追加するステップを含む、
請求項１に記載の情報入力方法。
【請求項５】
前記追加情報は、前記第１商品の画像に基づいて推定される、
請求項４に記載の情報入力方法。
【請求項６】
前記差分が、前記第１商品情報の情報量が前記第２商品情報の情報量よりも過剰である場合、前記第１商品情報の削減を促すメッセージを前記第２情報処理装置に送信するステップをさらに実行し、
前記更新するステップは、前記第２情報処理装置から受信した削減指示により前記第１商品情報を削減するステップを含む、
請求項１に記載の情報入力方法。
【請求項７】
前記第２商品情報は、２以上の商品情報を含む、
請求項１から６のいずれか一項に記載の情報入力方法。
【請求項８】
前記差分が、前記第１商品情報の情報量が前記第２商品情報の情報量よりも過剰である場合、前記第２商品情報の追加を促すメッセージを、前記第２商品を出品した出品ユーザに対応づけられた第３情報処理装置に送信するステップをさらに実行する、
請求項１に記載の情報入力方法。
【請求項９】
前記第２商品情報を前記記憶部から特定するステップは、購入された実績のある商品についての前記第２商品情報を特定するステップを含む、
請求項１から８のいずれか一項に記載の情報入力方法。
【請求項１０】
前記第２商品情報を前記記憶部から特定するステップは、所定の金額以上で購入された実績のある商品についての前記第２商品情報を特定するステップを含む、
請求項１から８のいずれか一項に記載の情報入力方法。
【請求項１１】
前記第２商品情報を前記記憶部から特定するステップは、所定の評価以上の評価を取得している出品ユーザが出品した商品についての前記第２商品情報を特定するステップを含む、
請求項１から８のいずれか一項に記載の情報入力方法。
【請求項１２】
出品ユーザに対応づけられた第２情報処理装置から、前記出品ユーザが出品する第１商品の第１商品情報を受信する受信部と、
前記第１商品情報に基づいて、前記第１商品と同種の第２商品の第２商品情報を記憶部から特定する取得部と、
前記第１商品情報の情報量と前記第２商品情報の情報量との差分を特定する比較部と、
前記差分の少なくとも一部を減らすように前記第１商品情報を更新する更新部と、を備える情報処理装置。
【請求項１３】
第１情報処理装置に、
出品ユーザに対応づけられた第２情報処理装置から、前記出品ユーザが出品する第１商品の第１商品情報を受信するステップと、
前記第１商品情報に基づいて、前記第１商品と同種の第２商品の第２商品情報を記憶部から特定するステップと、
前記第１商品情報の情報量と前記第２商品情報の情報量との差分を特定するステップと、
前記差分の少なくとも一部を減らすように前記第１商品情報を更新するステップと、を実行させる情報入力プログラム。
【手続補正書】
【提出日】令和3年7月16日(2021.7.16)
【手続補正１】
【補正対象書類名】特許請求の範囲
【補正対象項目名】全文
【補正方法】変更
【補正の内容】
【特許請求の範囲】
【請求項１】
第１情報処理装置と通信する第２情報処理装置が行う情報処理方法であって、
前記第１情報処理装置から入力フォームにおいて入力されたデータを入力済データとして受け付ける第１受付ステップと、
前記入力フォームにおける前記入力済データの引継を行うための引継データであって前記入力済データを特定するための識別子を含む引継データを前記第１情報処理装置に送信する送信ステップと、
第３情報処理装置から前記識別子を受け付ける第２受付ステップと、
前記識別子に対応する入力済データを取得し、取得した入力済データが入力された前記入力フォームを表示させるための画面データを、前記第３情報処理装置に送信するステップと、を含む情報処理方法。
【請求項２】
前記送信ステップは、前記入力済データを前記引継データに含めて前記第１情報処理装置に送信する、
請求項１に記載の情報処理方法。
【請求項３】
前記第３情報処理装置から、前記入力フォームにおいてアップロードすべき画像の画像データを受け付ける第３受付ステップ、をさらに有する、
請求項１又は２に記載の情報処理方法。
【請求項４】
前記第２受付ステップは、さらに、前記第３情報処理装置を認証するための認証情報を受け付け、受け付けた前記認証情報に基づいて前記第３情報処理装置の認証を行う認証ステップ、をさらに有する、
請求項１〜３のいずれか一項に記載の情報処理方法。
【請求項５】
第１情報処理装置と通信する第２情報処理装置として動作する情報処理装置であって、
前記第１情報処理装置から入力フォームにおいて入力されたデータを入力済データとして受け付ける受付部と、
前記入力フォームにおける前記入力済データの引継を行うための引継データであって前記入力済データを特定するための識別子を含む引継データを前記第１情報処理装置に送信する送信部と、を含み、
前記受付部は、第３情報処理装置から前記識別子を受け付け、
前記送信部は、前記識別子に対応する入力済データを取得し、取得した入力済データが入力された前記入力フォームを表示させるための画面データを、前記第３情報処理装置に送信する、情報処理装置。
【請求項６】
第１情報処理装置と通信する第２情報処理装置に、
前記第１情報処理装置から入力フォームにおいて入力されたデータを入力済データとして受け付ける第１受付ステップと、
前記入力フォームにおける前記入力済データの引継を行うための引継データであって前記入力済データを特定するための識別子を含む引継データを前記第１情報処理装置に送信する送信ステップと、
第３情報処理装置から前記識別子を受け付ける第２受付ステップと、
前記識別子に対応する入力済データを取得し、取得した入力済データが入力された前記入力フォームを表示させるための画面データを、前記第３情報処理装置に送信するステップと、を実行させるプログラム。
【手続補正書】
【提出日】令和3年7月13日(2021.7.13)
【手続補正１】
【補正対象書類名】特許請求の範囲
【補正対象項目名】全文
【補正方法】変更
【補正の内容】
【特許請求の範囲】
【請求項１】
ユーザが利用する第１情報処理装置と通信する、第２情報処理装置が実行する情報処理方法であって、
前記第１情報処理装置から、前記第１情報処理装置の位置を示す位置情報を受信するステップと、
有効期限が設定されている特典であって、前記位置情報が示す位置から所定の範囲内で利用可能な特典を特定するステップと、
前記特典と前記第1情報処理装置を利用するユーザとを対応づけるステップと、
前記第１情報処理装置による前記特典が利用可能な店舗での決済リクエストを受信した場合に、前記特典を自動的に適用させるステップと、を有する情報処理方法。
【請求項２】
前記有効期限が設定されている特典は、所定の期間内に有効期限が設定されている特典であって、前記位置情報を取得した日時に利用可能な特典である、請求項１記載の情報処理方法。
【請求項３】
前記第２情報処理装置が、
データベースに格納される位置情報を、受信した前記位置情報で更新することで、前記第１情報処理装置の位置を管理する管理ステップ、をさらに実行する、請求項１又は２記載の情報処理方法。
【請求項４】
前記特典を自動的に適用させるステップは、前記第１情報処理装置からの入力を介さずに、前記特典を適用することを含む、請求項１乃至３の何れか一項に記載の情報処理方法。
【請求項５】
前記特定するステップは、所定の条件を満たす特典を特定するステップを含む、請求項１乃至４の何れか一項に記載の情報処理方法。
【請求項６】
前記所定の条件は、前記ユーザが過去に特典を使用した店舗又は該店舗と所定の関係を有する店舗で利用可能であることを含む、請求項５記載の情報処理方法。
【請求項７】
ユーザが利用する第１情報処理装置と通信する、第２情報処理装置に、
前記第１情報処理装置から、前記第１情報処理装置の位置を示す位置情報を受信するステップと、
有効期限が設定されている特典であって、前記位置情報が示す位置から所定の範囲内で利用可能な特典を特定するステップと、
前記特典と前記第1情報処理装置を利用するユーザとを対応づけるステップと、
前記第１情報処理装置による前記特典が利用可能な店舗での決済リクエストを受信した場合に、前記特典を自動的に適用させるステップと、を実行させる、情報処理プログラム。
【請求項８】
ユーザが利用する第１情報処理装置と通信する、第２情報処理装置であって、
前記第１情報処理装置から、前記第１情報処理装置の位置を示す位置情報を受信する受信部と、
有効期限が設定されている特典であって、前記位置情報が示す位置から所定の範囲内で利用可能な特典を特定する特定部と、
前記特典と前記第1情報処理装置を利用するユーザとを対応づける記憶部と、
前記第１情報処理装置による前記特典が利用可能な店舗での決済リクエストを受信した場合に、前記特典を自動的に適用させる決済処理部と、を有する情報処理装置。
【手続補正２】
【補正対象書類名】明細書
【補正対象項目名】０００８
【補正方法】変更
【補正の内容】
【０００８】
本開示は、ユーザが保持する利用可能なクーポンをユーザに通知することが可能な技術を提供することを目的とする。
【手続補正３】
【補正対象書類名】明細書
【補正対象項目名】００１３
【補正方法】変更
【補正の内容】
【００１３】
本開示の一実施形態に係る情報処理方法は、ユーザが利用する第１情報処理装置と通信する、第２情報処理装置が実行する情報処理方法であって、前記第１情報処理装置から、前記第１情報処理装置の位置を示す位置情報を受信するステップと、有効期限が設定されている特典であって、前記位置情報が示す位置から所定の範囲内で利用可能な特典を特定するステップと、前記特典と前記第1情報処理装置を利用するユーザとを対応づけるステップと、前記第１情報処理装置による前記特典が利用可能な店舗での決済リクエストを受信した場合に、前記特典を自動的に適用させるステップと、を有する。
【手続補正書】
【提出日】令和3年7月27日(2021.7.27)
【手続補正１】
【補正対象書類名】特許請求の範囲
【補正対象項目名】全文
【補正方法】変更
【補正の内容】
【特許請求の範囲】
【請求項１】
情報処理装置における情報処理方法であって、
ユーザと、当該ユーザによる取引対象の売買を行うための第１口座とを対応付けるステップと、
前記ユーザと、前記第１口座とは異なる口座でありかつ金融機関の金融口座とは異なる口座であって、前記第１口座との間で資金を移動するための１以上の第２口座とを対応付けるステップと、
前記取引対象の売買注文および前記第１口座における預り金、ならびに、前記１以上の第２口座における資金を管理するステップと、
前記ユーザの指示に基づいて、前記取引対象の買入注文を生成するステップと、
前記買入注文に対して前記預り金の残高が不足する場合に、前記ユーザの承諾に基づいて、かつ、当該ユーザによる承諾以外の操作を必要とせず、かつ、前記１以上の第２口座に対して資金移動の指示を送信することなく、前記１以上の第２口座から前記第１口座へ前記不足する残高以上の資金を移動するステップと、を有する情報処理方法。
【請求項２】
前記買入注文に対して前記預り金の残高が不足しない場合、または、前記残高の不足が解消した場合に、前記買入注文を発注し、該買入注文を約定させるステップ、を有する請求項１に記載の情報処理方法。
【請求項３】
前記資金を移動するステップにおいては、前記買入注文ごとに前記ユーザの承諾を確認し、前記資金を移動する、請求項１または２に記載の情報処理方法。
【請求項４】
前記資金を移動するステップにおいては、前記買入注文に先立って予め確認した前記ユーザの承諾に基づいて、前記資金を移動する、請求項１から３のいずれか一項に記載の情報処理方法。
【請求項５】
前記ユーザの指示に基づいて、特定の商取引における売上金を資金として前記第２口座に充当するステップを有する、請求項１から４のいずれか一項に記載の情報処理方法。
【請求項６】
前記ユーザの指示に基づいて、特定のサービスにおいて利用可能な金銭等価物を資金として前記第２口座に充当するステップを有する、請求項１から５のいずれか一項に記載の情報処理方法。
【請求項７】
前記ユーザの指示に基づいて、クレジットカードによる立替金を資金として前記第２口座に充当するステップを有する、請求項１から６のいずれか一項に記載の情報処理方法。
【請求項８】
前記ユーザの指示に基づいて、金融口座の預金を資金として前記第２口座に充当するステップを有する、請求項１から７のいずれか一項に記載の情報処理方法。
【請求項９】
前記ユーザの指示に基づいて、特定の商取引における売上金、特定のサービスにおいて利用可能な金銭等価物、クレジットカードによる立替金、および金融口座の預金のいずれか１つ、または、いずれかの組み合わせを資金として前記第２口座に充当するステップを有する、請求項１から８のいずれか一項に記載の情報処理方法。
【請求項１０】
前記ユーザの指示に基づいて、前記第２口座の資金を、特定の商取引もしくは特定のサービスにおける決済に使用する、または、外部へ送金するステップを有する、請求項１から９のいずれか一項に記載の情報処理方法。
【請求項１１】
前記ユーザの指示に基づいて、前記第２口座の資金を用いて、特定のサービスにおいて利用可能な金銭等価物を購入するステップを有する、請求項１から１０のいずれか一項に記載の情報処理方法。
【請求項１２】
前記ユーザの指示に基づいて、前記第２口座の資金を預金として金融口座へ振替えるステップを有する、請求項１から１１のいずれか一項に記載の情報処理方法。
【請求項１３】
前記資金を移動するステップにおいては、前記買入注文に関する前記ユーザの操作に応答して、前記第２口座から前記第１口座へ前記不足する残高以上の資金を移動する、請求項１から１２のいずれか一項に記載の情報処理方法。
【請求項１４】
ユーザと、当該ユーザによる取引対象の売買を行うための第１口座とを対応付け、前記ユーザと、前記第１口座とは異なる口座でありかつ金融機関の金融口座とは異なる口座であって、前記第１口座との間で資金を移動するための１以上の第２口座とを対応付ける口座管理部と、
前記取引対象の売買注文および前記第１口座における預り金、ならびに、前記１以上の第２口座における資金を管理する預り金管理部と、
前記ユーザの指示に基づいて、前記取引対象の買入注文を生成する注文生成部と、
前記買入注文に対して前記預り金の残高が不足する場合に、前記ユーザの承諾に基づいて、かつ、当該ユーザによる承諾以外の操作を必要とせず、かつ、前記１以上の第２口座に対して資金移動の指示を送信することなく、前記１以上の第２口座から前記第１口座へ前記不足する残高以上の資金を移動する資金移動部と、を有する情報処理装置。
【請求項１５】
情報処理装置に、
ユーザと、当該ユーザによる取引対象の売買を行うための第１口座とを対応付けるステップと、
前記ユーザと、前記第１口座とは異なる口座でありかつ金融機関の金融口座とは異なる口座であって、前記第１口座との間で資金を移動するための１以上の第２口座とを対応付けるステップと、
前記取引対象の売買注文および前記第１口座における預り金、ならびに、前記１以上の第２口座における資金を管理するステップと、
前記ユーザの指示に基づいて、前記取引対象の買入注文を生成するステップと、
前記買入注文に対して前記預り金の残高が不足する場合に、前記ユーザの承諾に基づいて、かつ、当該ユーザによる承諾以外の操作を必要とせず、かつ、前記１以上の第２口座に対して資金移動の指示を送信することなく、前記１以上の第２口座から前記第１口座へ前記不足する残高以上の資金を移動するステップと、を実行させるプログラム。
【手続補正書】
【提出日】令和3年7月6日(2021.7.6)
【手続補正１】
【補正対象書類名】特許請求の範囲
【補正対象項目名】全文
【補正方法】変更
【補正の内容】
【特許請求の範囲】
【請求項１】
利用者を撮影した撮影画像に基づくコンテンツを生成し、印刷用のコンテンツを印刷媒体に印刷するとともに、送信用のコンテンツをサーバに送信する画像編集装置であって、
前記利用者の入力を受け付ける入力部と、
前記撮影画像、ならびに複数の利用者が選択可能な装飾画像及び／又はアイコンを含むパレットを表示する表示部と、
前記入力に基づき、選択された装飾画像又は選択されたアイコンに応じた装飾画像を前記撮影画像に合成する制御部と、を含み、
前記制御部は、前記撮影画像に合成するために前記入力が前記パレットから連続的に移動されることにより、前記選択された装飾画像又は前記選択されたアイコンに応じた装飾画像を、前記撮影画像上の指定場所に合成し、
前記制御部は、前記入力部に入力された順に識別情報を付与し、前記識別情報ごとに前記選択された装飾画像又は前記選択されたアイコンを関連付けし、一の前記入力に係る指定場所の調整と並行して、他の前記入力に係る指定場所の調整を受け付ける画像編集装置。
【請求項２】
前記制御部は、前記撮影画像上に合成された前記装飾画像に対して所定時間以上の入力を検出した場合に、当該装飾画像の再編集を許容する請求項１に記載の画像編集装置。
【請求項３】
前記制御部は、前記印刷用のコンテンツの印刷と並行して、前記送信用のコンテンツを前記サーバから取得るための会員登録を前記利用者に対して行わせる請求項１または２に記載の画像編集装置。
【請求項４】
前記制御部は、
前記入力部に対する前記利用者の入力に基づいて、当該画像編集装置の使用言語を設定し、
前記送信用のコンテンツを取得するためのページを前記使用言語に応じて前記サーバが変更できるようにするために、前記表示部、前記印刷媒体及び前記サーバの少なくともいずれかに、前記使用言語を特定する識別情報と前記送信用のコンテンツを特定する識別情報とを関連付けて出力する請求項１から３のいずれかに記載の画像編集装置。
【請求項５】
利用者を撮影した撮影画像を記録する記録工程と、
前記撮影画像、ならびに複数の利用者が選択可能な装飾画像及び／又はアイコンを含むパレットを表示する表示工程と、
前記利用者の入力を受け付ける入力工程と、
前記入力工程に基づき、選択された装飾画像又は選択されたアイコンに応じた装飾画像を前記撮影画像に合成する編集工程と、を含み、
前記編集工程は、前記撮影画像に合成するために前記入力が前記パレットから連続的に移動されることにより、前記選択された装飾画像又は前記選択されたアイコンに応じた装飾画像を、前記撮影画像上の指定場所に合成し、
前記編集工程は、前記入力工程で入力された順に識別情報を付与し、前記識別情報ごとに前記選択された装飾画像又は前記選択されたアイコンを関連付けし、一の前記入力に係る指定場所の調整と並行して、他の前記入力に係る指定場所の調整を受け付ける、画像編集方法。
【請求項６】
利用者を撮影した撮影画像を記録する記録処理と、
前記撮影画像、ならびに複数の利用者が選択可能な装飾画像及び／又はアイコンを含むパレットを表示する表示処理と、
前記利用者の入力を受け付ける入力処理と、
前記入力処理に基づき、選択された装飾画像又は選択されたアイコンに応じた装飾画像を前記撮影画像に合成する編集処理と、を含み、
前記編集処理は、前記撮影画像に合成するために前記入力が前記パレットから連続的に移動されることにより、前記選択された装飾画像又は前記選択されたアイコンに応じた装飾画像を、前記撮影画像上の指定場所に合成し、
前記編集処理は、前記入力処理で入力された順に識別情報を付与し、前記識別情報ごとに前記選択された装飾画像又は前記選択されたアイコンを関連付けし、一の前記入力に係る指定場所の調整と並行して、他の前記入力に係る指定場所の調整を受け付ける、画像編集プログラム。